(57)【要約】      （修正有）【課題】亡くなった胎児を出産直後に収容し、退院するまでの間に冷暗所で安置する棺提供する。【解決手段】温度管理を行うことで、火葬炉直前まで生前と同様な状態に胎児を保つことができ、最後まで人として扱うことで、母親及び家族の心のケアを行うことができる。更に、棺の外側から頭位置を確認することができ、火葬直前に棺を開ける事なく、頭位置から焼却装置に入れることができ、母親及び家族の悲しみを和らげる事が期待できる。その構造は、上面が開放されている箱状をなす厚さ３ｍｍの再生紙製の本体１と、その開口部を閉鎖する着脱可能な蓋体２からなる胎児安置用棺箱体であって、本体内部に設置された孔の開いた中敷３と、該本体の底部の片側側面に腐敗防止蓄用冷剤を挿入可能とした開口部５を備え、そこに深みのある箱状の引き出しを設けた事を特徴とする。【選択図】図１
2013034709.tif 000002
【特許請求の範囲】
【請求項１】
上面が開放されている箱状をなす厚さ３ｍｍの再生紙製の本体と、その開口部を閉鎖する着脱可能な蓋体からなる胎児安置用棺箱体であって、本体内部に設置された孔の開いた中敷と、該本体の底部の片側側面に腐敗防止蓄用冷剤を挿入可能とした開口部を備え、そこに深みのある箱状の引き出しを設けた事を特徴とする、死産胎児の安置用棺
【請求項２】
上記蓄冷剤を挿入可能なトレイ形状に載せて該開口部から挿入可能とした請求項1記載の死産胎児の安置用棺
【請求項３】
本体内部の側面、中敷及び底板に防水性マットを敷いた事を特徴とした請求項１乃至2記載の死産胎児の安置用棺
【請求項４】
蓋上に死産胎児の頭位置がわかる様、表示した事を特徴とした請求項1乃至3記載の死産胎児の安置用棺
【発明の詳細な説明】
【技術分野】
【０００１】
本発明は、人工妊娠中絶手術、死産、流産等によって娩出された胎児を供養するため、一定期間安置可能な胎児用棺で、腐敗防止、防水機能、胎児の頭位置がわかる棺に関するものである。
【背景技術】
【０００２】
病院等において、人工妊娠中絶手術、死産、流産等によって娩出された胎児は、墓地、埋葬等に関する法律によれば、死亡又は死産後２４時間を経過した後でなければ、埋葬又は火葬を行ってはならないが、妊娠２４週に満たない死産の場合は、この限りではないとされている。つまり、妊娠１２週以降の死産児は埋葬が義務づけられており、妊娠24週未満の死産児は死産後２４時間以内でも火葬は可能となっている。
【０００３】
一方、死産児の死体現象の特徴から、高温多湿の環境でなければ成人と異なり遺体が出産直後から急激に腐敗することはないことが判っている。その為、死産胎児が２４℃以下の環境に安置される事が望まれる。
【０００４】
又、火葬までの時間は法律上定められてはいないが、死産の場合殆どのケースで葬儀社を介さず直接個人で斎場にて火葬を行っている場合が多く、死産直後から火葬まで１日から２日を要している為、遺体を適切に保存することが求められる。
【０００５】
一方流産や死産で亡くなった胎児の母親や家族の心のケアが必要であり、亡くなった胎児との時間を共に過ごした後に見送ることで、死産を経験した母親・家族の衝撃・悲嘆を和らげる事が考えられる。
【０００６】
そこで死産児を家族と面会させる時になって慌てて児の身なりや安置方法を整えるのではなく、出産（死産）直後の必要な処置が終了した後には速やかに児を尊重した関わりが必要となる。
【先行技術文献】
【特許文献】
【０００７】
特開２００６−２０４８０６
【発明の開示】
【発明が解決しようとする課題】
【０００８】
しかしながら従来は、亡くなった胎児を出産直後に収容し、退院するまでの間に冷暗所で安置する棺がないため、亡くなった胎児は然るべき処理がされずに、トレイや注射液が梱包されていた空き箱等を仮の棺として使用され、人としての尊厳が保たれているとは言えない状態が殆どであった。死産児用の棺は地方では入荷までに時間を要すことがあり、また個人では病院を経由しなければ一個から購入できないシステムとなっている場合がある。そこで、死産児の家族は退院前に菓子箱やギフトボックスを棺の代用として準備、もしくは病院や家族が葬儀社に棺を依頼している。
【０００９】
又、特許文献  特開２００６−２０４８０６の様な棺セットの提案はあったが、亡くなった胎児との時間を共に過ごしたいという母親・家族の要望を満たせる棺が無かった。
【課題を解決するための手段】
【００１０】
そこで本発明では、妊娠２２週未満の死産児を安置する棺として、生前と同じ状態で胎児を収容・保持する事が可能な棺を提供することであり、本発明の棺により最後まで大切な人として扱うことで、死産を経験した母親・家族の悲嘆過程を支えるグリーフケアとなりえる。更にその後、火葬する際には、再度棺を開ける事なく亡くなった胎児の頭位置を確認する事が可能であり、亡くなった胎児を供養するのに相応し体裁を備えたものである。
【００１１】
本発明の棺は、上面が開放されている箱状をなす厚さ３ｍｍの再生紙製の本体と、その開口部を閉鎖する着脱可能な蓋体からなる胎児安置用棺箱体であって、本体内部に設置された孔の開いた中敷と、該本体の底部の片側側面に腐敗防止蓄用冷剤を挿入可能とした開口部を備え、そこに深みのある箱状の引き出しを設けた事を特徴とする、死産胎児の安置用棺である。
【００１２】
本体中敷及び底板には防水性マットを敷くことで、胎児からの液体（滲出液・血液）等を棺本体の外部への漏洩を防いでいる。
【００１３】
更に蓋上には、死産胎児の頭位置がわかる様、マークを表示することで、火葬炉直前の頭位置が棺を開ける事無く確認することが出来る様にしている。
【発明の効果】
【００１４】
本発明の棺によって、死産直後の家族が死産児を保冷可能な棺に安置することが出来、生前に近い状態で胎児を収容・保持することが可能となる。更に、その後死産児を火葬するまでの間に面会が可能であり、火葬する際には、再度棺を開けることなく亡くなった胎児の頭位置を確認する事が可能であり、亡くなった胎児を供養するのに相応している。
【図面の簡単な説明】
【００１５】
【図１】本発明の胎児用棺の分解斜視図
【図２】本発明の胎児用棺の温度経時変化
【００１６】
本発明の胎児用棺は、温度管理を行うことで、火葬炉直前まで生前と同様な状態に胎児を保つことができ、最後まで人として扱うことで、母親及び家族の心のケアを行うことができる。更に、棺の外側から頭位置を確認することができ、火葬直前に棺を開ける事なく、頭位置から焼却装置に入れることができ、母親及び家族の悲しみを和らげる事が期待できる。
【発明を実施するための最良の形態】
【００１７】
本発明の胎児用棺の実施形態の一例を図面に基づいて説明する。この胎児用棺は図１に示すように、上面が開放された箱状をなす本体１と、該本体の上面を閉鎖可能な蓋体２とからなる。面会時に開放可能な該蓋部２と、本体内部に設置された孔の開いた中敷３と、該本体の前板４の底板側に腐敗防止用蓄冷剤１１を挿入可能とした開口部５を備えている。
【００１８】
死産児の体の腐敗を防ぐ為には、25℃未満に保つことが必要と言われている為、市販の蓄冷材を下部に置く必要がある。但し、死産児には皮膚破損や内蔵が表面に出ている等の損傷がある為、前記保冷材の交換の為、死産児の体を何度も持ち上げる事ができない。その為、死産児の体に触れることなく、保冷材を交換できる様、トレイ部構造６とし、蓄冷剤１１は、挿入可能なトレイ部６に載せて該開口部５から挿入可能としている。
【００１９】
本体側面、中敷３及び底板には防水性マットを敷き、胎児の液体（滲出液・血液）等が棺本体の外部への漏洩をしないようにしてある。
【００２０】
更に蓋上には、死産胎児の頭位置がわかる様、表示することで、火葬炉直前に、胎児の頭位置を棺を開ける事無く確認することが出来、母親及び家族の悲しみを和らげる事が期待出来る。斎場職員は、その表示を確認することで、火葬炉に遺体の頭部から入れる事が可能となる。
【００２１】
棺本体１のサイズは胎児等を収容するのに適したサイズであり、例えば、図1に示すように１２週から１８週向けの胎児には縦Ｌ×横Ｗ×高さＨを２６０ｍｍ×１８０ｍｍ×１５０ｍｍ程度、１８週から２２週向けの胎児には３００ｍｍ×２１０mm×１５０ｍｍ程度とするのが適する。
【００２２】
棺本体の材質は、環境に配慮した厚さ３mmの再生紙を利用することで、通常の段ボールや紙製品と比較して、強度があり、重量感がある。尚、棺外装は一般成人用の棺を模した木目調のプリントとしている。
【００２３】
トレイ材質は、発砲材を用いる事で、結露より発生する水分を受け入れ、水漏れを防止している。又、火葬時にダイオキシンの発生や焼骨への焼きつき、炉内での爆発を避ける為、蓄冷材は火葬前に取り出しが可能となっている。
【００２４】
棺外装には、亡くなった胎児の頭の位置が、火葬時のバーナー側にある事が判る様、マーキングがあり、本実施例では天使マークを付してある。
【００２５】
内装天井の枠（額縁）には、冷気が上蓋を開放している時に逃げない様、突起部を設けている。枠（額縁）のカットデザインは、花模様をイメージした曲線としており、面会時には柔らかな印象となる。
【００２６】
（実施形態の確認結果）
市販の蓄冷材を用いて、保冷性能を確認した。恒温恒湿室（ESPEC株式会社製TBL−２HW６P２A）内の床上２００mmの位置に７７０mm×９１０mm×１８mmの板を設置し、その上に本発明品である棺を設置した。棺内部には孔の開いた中敷があり、その下に３００gの蓄冷材を２個設置した。棺中心部、中敷から２０mm上方の位置にT熱電対を設置し、この温度を棺内空気温度とした。又、中敷下に設置した２個の蓄冷材のうち、１個の表面中央にT熱電対を設置し、この温度を蓄冷材表面温度とした。
【００２７】
恒温恒湿室内の温度を２４℃し、２４時間棺を放置した。次に室温を２４℃に維持した状態で、別途−２０℃で２４時間放置した蓄冷材を棺内の中敷下に設置して上蓋を閉じ、室温を２４℃に維持した状態で、上蓋を閉じた時点から棺内空気温度、蓄冷材表面温度、室温を１０秒間隔で測定した。尚、恒温恒湿室の温度制御は、対流による加湿・冷却方式となっている。
【００２８】
上蓋を閉じた時点から棺内空気温度、蓄冷材表面温度、室温の経時変化を図２に示す。
【００２９】
以上より、蓄冷材を適度に交換することで、火葬までの１日から２日は亡くなった胎児と共に過ごす事が可能と言える。
【００３０】
（実際の利用時の流れ）
死産直後の必要な処置が終了した後に、死産児の身なりを整え、当該棺に衣類・布団等と共に安置し、下部トレイ部に蓄冷材を設置した上、家族が遺体を引き取る事となる。その後家族が斎場に電話をし、火葬希望日時を伝える。火葬の受付後は、棺を職員が預かり、告別（死産胎児の場合、棺を開けて遺体と面会する事は避ける場合が多い）する。火葬炉には遺体の頭側から入れるが頭側の表示があるため、棺を開けて確認する必要がない。又、下部トレイ部から蓄冷材等を取り出し、その後、火葬となる。火葬終了後は、収骨は足から頭の順に行う。
【産業上の利用可能性】
【００３１】
死産児を出産直後から大切に人として扱うことは、周産期におけるグリーフケアとなる。死産児を出産した家族の悲しみと悲嘆の過程を考えると、死産児を家族と面会させるときに急遽、死産児の身なりや安置方法を整えるのではなく、出産直後の必要な処置が終了した後には速やかに児を尊重した関わりが必要である。その為、病院には家族と面会できる様に死産児の身なりを整え、家族が遺体を引き取るまで遺体を適切に保存することが求められる。従って死産児の出産前から安置用の衣類や棺、布団など病院が用意しておくとよいと考えられる。
【００３２】
更に本発明の胎児用棺は、胎児の供養用の棺には限られず、亡くなった胎児の遺品を供養するお焚きあげ用、小動物のペット等の供養用の棺等としても応用することができる。
【符号の説明】
【００３３】
１   棺本体
２   蓋
３   中敷
４   前板
５   開口部
１１ 蓄冷材
【図１】
2013034709.tif 000003
【図２】
2013034709.tif 000004